(57)【要約】【課題】  本発明は写真印刷自動販売機やシール作成機を使用した印刷システムに関し、特に撮影時やシール作成時の音声や映像を取得できる情報を付加し、必要に応じて音声や映像を再現し、シール作成時等の臨場感を得るものである。【解決手段】  本発明は写真印刷自動販売機１とサーバ９、及び携帯電話機１０がインターネット等のネットワーク８を介して接続されたシステムであって、写真印刷自動販売機１によって印刷されたプリント画像の表側に画像を印刷し、裏側に２次元バーコードの印刷を行い、携帯電話機で２次元バーコードの印刷を行うことによってコードを解析し、サーバ９をアクセスして登録した音声情報を読み出し、撮影時の臨場感を再現する構成である。また、シール作成機についても同様であり、撮像手段によって撮影した写真を見る時、当該写真に印刷された２次元バーコードを撮影し、サーバ９に登録された音声情報を読み出して再現することによって撮影時の臨場感を再現する構成である。【選択図】  図２
2005345632.tif 000002
【特許請求の範囲】
【請求項１】
写真印刷自動販売機、サーバ、及び携帯電話機がネットワークを介して接続された印刷システムにおいて、
前記写真印刷自動販売機は、動画像から静止画像を切り出す静止画像切出手段と、前記動画像から特定情報を読み出す特定情報読出手段と、該特定情報に識別情報を付加して前記サーバに送信する送信手段と、前記静止画像を印刷すると共に、該静止画像を印刷する印刷物に前記識別情報も印刷する印刷手段とを有し、
前記携帯電話機は、前記印刷物に印刷された前記識別情報を撮像する撮像手段と、撮像された識別情報を解析し、前記サーバに該識別情報に対応する特定情報の供給を要求する要求手段と、該要求に基づいて前記サーバから供給された特定情報を出力する出力手段とを有することを特徴とする印刷システム。
【請求項２】
動画像から静止画像を切り出す静止画像切出手段と、
前記動画像から特定情報を読み出す特定情報読出手段と、
該特定情報に識別情報を付加して前記サーバに送信する送信手段と、
前記静止画像を印刷すると共に、該静止画像を印刷する印刷物に前記識別情報も印刷する印刷手段と、
を有することを特徴とする写真印刷自動販売機。
【請求項３】
前記特定情報は音声情報、又は一定時間の動画情報であることを特徴とする請求項２記載の写真印刷自動販売機。
【請求項４】
シール作成機、サーバ、及び携帯電話機がネットワークを介して接続された写真印刷システムにおいて、
前記シール作成機は、静止画像を撮像する撮像手段と、該撮像手段による撮像作業の間の特定情報を作成する特定情報作成手段と、該特定情報に識別情報を付加して前記サーバに送信する送信手段と、前記静止画像を印刷すると共に、該静止画像を印刷する印刷物に前記識別情報も印刷する印刷手段とを有し、
前記携帯電話機は、前記印刷物に印刷された前記識別情報を撮像する撮像手段と、撮像された識別情報を解析し、前記サーバに該識別情報に対応する特定情報の供給を要求する要求手段と、該要求に基づいて前記サーバから供給された特定情報を出力する出力手段とを有することを特徴とする印刷システム。
【請求項５】
静止画像を撮像する撮像手段と、
該撮像手段による撮像作業の間の特定情報を作成する特定情報作成手段と、
該特定情報に識別情報を付加して前記サーバに送信する送信手段と、
前記静止画像を印刷すると共に、該静止画像を印刷する印刷物に前記識別情報も印刷する印刷手段と、
を有することを特徴とするシール作成機。
【請求項６】
前記特定情報は音声情報、又は一定時間の動画情報であることを特徴とする請求項５記載のシール作成機。
【発明の詳細な説明】
【技術分野】
【０００１】
本発明は写真印刷自動販売機、シール作成機、及び写真印刷自動販売機、又はシール作成機を使用した印刷システムに関する。
【背景技術】
【０００２】
今日、印刷装置として写真印刷自動販売機が提案されている。例えば、街角やオフィスビルの建物内等に上記写真印刷自動販売機を設置し、利用者はデジタルカメラやカメラ付き携帯電話機などで撮影した写真画像や動画像を記録媒体に記録し、当該記録媒体を写真印刷自動販売機のスロットに装着して読み込ませ、写真画像の選択、サイズの設定、印刷枚数等を指定し、料金を投入して希望する写真を印刷出力させる。
【０００３】
また、特許文献１は所謂シール作成機であり、ネットワークを介してサーバに接続された画像印刷装置に関し、ユーザが希望するコンテンツをサーバに要求し、サーバは要求されたコンテンツを送信することによって、ユーザの好みに適した遊戯性のある撮影を行う発明である。
【特許文献１】特開２００４−７３２５号公報
【発明の開示】
【発明が解決しようとする課題】
【０００４】
しかしながら、デジタルビデオカメラで撮影した映像、音声データのうち１コマを切り出してプリントする場合、当然のことながら、プリントに使用するのは映像データのみであり、音声データはプリントできない。そのため、プリントした画像は、映像・音声データに比べて、臨場感が薄れてしまう。
【０００５】
また、特許文献１のようなシール作成機は、写真印刷自動販売機にデジタルカメラが装備されており、そのカメラで撮影した画像をその場でシールにしてプリント出力する機能を持った装置である。
【０００６】
このようなシール作成機を使用するユーザは、一人で利用することは少なく、通常友人同士のような複数人で利用している。そして、撮影の際には、かけ声や歓声が上がっている。この楽しい雰囲気の１コマを撮影し、シールにしてプリントするため、シール作成機は普及している。したがって、シール作成機のプリント出力に撮影時の“楽しい雰囲気”を記録することができれば、シール作成機は更に普及すると考えられる。
【０００７】
そこで、本発明はこのような問題を解決すべく提案されたものであり、写真印刷自動販売機やシール作成機で作成する印刷出力に、動画作成時やシール作成時の音声や映像を取得できる情報を付加し、必要に応じて音声や映像を再現し、シール作成時等の臨場感を得るものである。
【課題を解決するための手段】
【０００８】
上記課題は、本発明によれば写真印刷自動販売機、サーバ、及び携帯電話機がネットワークを介して接続された印刷システムにおいて、前記写真印刷自動販売機は、動画像から静止画像を切り出す静止画像切出手段と、前記動画像から特定情報を読み出す特定情報読出手段と、該特定情報に識別情報を付加して前記サーバに送信する送信手段と、前記静止画像を印刷すると共に、該静止画像を印刷する印刷物に前記識別情報も印刷する印刷手段とを有し、前記携帯電話機は、前記印刷物に印刷された前記識別情報を撮像する撮像手段と、撮像された識別情報を解析し、前記サーバに該識別情報に対応する特定情報の供給を要求する要求手段と、該要求に基づいて前記サーバから供給された特定情報を出力する出力手段とを有する印刷システムを提供することによって達成できる。
【０００９】
ここで、特定情報とは、例えば動画像に含まれる音声情報や一定期間の動画像であり、切り出した静止画像前後の一定期間の音声情報や動画像を特定情報と共にサーバに登録し、上記静止画像が印刷された印刷物（写真）を見る際、携帯電話機で識別情報の撮影を行い、識別情報に含まれるＵＲＬ情報等によってサーバにアクセスし、登録した特定情報の供給を受ける。
【００１０】
このように構成することにより、写真を見る際、特定情報である音声や動画を携帯電話機で出力し、臨場感ある感覚を得ることができる。
さらに、上記課題は、本発明によればシール作成機、サーバ、及び携帯電話機がネットワークを介して接続された印刷システムにおいて、前記シール作成機は、静止画像を撮像する撮像手段と、該撮像手段による撮像作業の間の特定情報を作成する特定情報作成手段と、該特定情報に識別情報を付加して前記サーバに送信する送信手段と、前記静止画像を印刷すると共に、該静止画像を印刷する印刷物に前記識別情報も印刷する印刷手段とを有し、前記携帯電話機は、前記印刷物に印刷された前記識別情報を撮像する撮像手段と、撮像された識別情報を解析し、前記サーバに該識別情報に対応する特定情報の供給を要求する要求手段と、該要求に基づいて前記サーバから供給された特定情報を出力する出力手段とを有する印刷システムを提供することによって達成できる。
【００１１】
本発明も、特定情報とは音声情報や一定時間の動画像であるが、本発明の場合、シール作成機の前に立ち、撮影する際の音声情報を一定時間録音し、又は動画像を一定時間撮影し、これらの情報を識別情報と共にサーバに登録し、上記シール作成機で撮影された画像が印刷された印刷物（写真）を見る際、携帯電話機で識別情報の撮影を行い、識別情報に含まれるＵＲＬ情報等によってサーバをアクセスし、登録した特定情報の供給を受けることができる。
【００１２】
このように構成することによっても、写真を見る際特定情報である音声や動画を携帯電話機で出力し、撮影当時の状況を思い出しながら臨場感ある感覚を得ることができる。
【発明の効果】
【００１３】
本発明は、動画像を撮影した際の臨場感ある雰囲気を再現することができ、写真印刷自動販売機によって作成した印刷物に実質的にこのような機能を有するコードを記録することができる。
【００１４】
また、シール作成機を使用して撮影した写真を見る際、臨場感ある雰囲気を再現することができ、シール作成機によって作成した印刷物に実質的にこのような機能を有するコードを記録することができる。
【発明を実施するための最良の形態】
【００１５】
以下、本発明の実施の形態を図面を参照しながら説明する。
（実施形態１）
先ず、本発明の実施形態１に使用する印刷装置としての写真印刷自動販売機の構成を説明する。
【００１６】
図１は、写真印刷自動販売機の外観構成を示す図である。同図に示す写真印刷自動販売機１は、街角や小売店、スーパー、写真店、観光地の店舗、テーマパーク、映画館、オフィスビルの建物内等に設置されている。
【００１７】
写真印刷自動販売機１の正面には、表示／操作部（ディスプレイ＆タッチパネル）２、メディア挿入口３、料金挿入／返却口４、及び印刷物取出口５が設けられている。表示／操作部（ディスプレイ＆タッチパネル）２は、例えば液晶ディスプレイと、液晶ディスプレイに表示されるキーや、ボタン、アイコン等を選択する不図示の操作部で構成されている。表示／操作部（ディスプレイ＆タッチパネル）２には、例えばデジタルカメラ等で撮影した画像情報が、サムネイル表示され、また有料モード又は無料モードの選択アイコン等の各種の情報が表示される。
【００１８】
また、表示／操作部（ディスプレイ＆タッチパネル）２の上記表示に従って、例えばユーザは有料モード又は無料モードの選択操作を行い、また印刷枚数の指定操作を行う。メディア挿入口３は、デジタル画像情報や映像情報を記憶するコンパクトフラッシュ（登録商標）カードやスマートメディア、ＳＤカード、メモリースティック、フロッピィディスク、ＰＣカード、光磁気ディスク、コンパクトディスクＲＯＭ（ＣＤ−ＲＯＭ）、コンパクトディスクレコーダブル（ＣＤ−Ｒ）等の記憶媒体の挿入口であり、上記記憶媒体には例えばデジタルカメラ等で撮影したデジタル画像情報や映像情報が書き込まれている。
【００１９】
上記メディア挿入口３の直下には、作業テーブル６が手前に突出して設けられており、例えばデジタルカメラの載置等に利用される。また、作業テーブル６の右側には料金挿入／返却口４が設けられ、紙幣や硬貨の投入が行われる。また、料金挿入／返却口４には不図示の返却レバーを操作することによって釣銭が返却される。
【００２０】
印刷物取出口５は印刷出力を取り出すボックスであり、複数枚の印字用紙が出力される。また、この印刷物取出口５には、例えば小型の簡易アルバム等の付加部材も出力される。
【００２１】
図２は上記外観構成の写真印刷自動販売機１が組み込まれたネットワークシステムであり、インターネット等のネットワーク８を介して写真印刷自動販売機１はサーバ９に接続されている。また、カメラ機能付き携帯電話機１０もネットワーク８を介して写真印刷自動販売機１及びサーバ９に接続可能に構成されている。尚、同図に示す１１は写真印刷自動販売機１によって印刷出力される写真を示し、１１ａが写真の表面に印刷された画像を示し、１１ｂが写真の裏面に印刷された２次元バーコードを示す。尚、この２次元バーコードとしては、例えば本例ではＱＲ(Quick Response)コードを使用する。
【００２２】
以上の構成において、以下に本例の処理動作を説明する。尚、本例で説明する記憶媒体にはデジタルムービの動画が記録されており、この動画から希望する画像を選択して印刷出力するものとする。
【００２３】
先ず、ユーザは写真印刷自動販売機１が設置された場所に出向き、デジタルムービの動画が記録された記憶媒体を前述のメディア挿入口３に挿入する。写真印刷自動販売機１は挿入された記憶媒体に記録された動画を読み出し、表示／操作部（ディスプレイ＆タッチパネル）２に表示する。
【００２４】
図３はこの場合の表示例であり、同図に示す“動画”の部分にデジタルムービの動画が表示され、ユーザはプリントを希望する動画が表示されたタイミングで停止ボタンを押す。図４は停止ボタンが押され、動画が停止して希望する画像（静止画）が表示された状態を示す。
【００２５】
表示された画像をプリントする場合、ユーザは表示された料金を投入し、プリントボタンを押す。この処理により、写真印刷自動販売機１はプリント処理を行い、印刷結果を印刷物取出口５に出力する。
【００２６】
ここで、本例においては以下の処理が行われる。図５はこの処理手順を示し、同図の左側が写真印刷自動販売機１の処理を示し、右側がサーバ９の処理を示す。
先ず、音声データの切り出し処理を行う（ステップ（以下、Ｓで示す）１）。具体的には、ユーザが選択した静止画像を印刷する際、当該静止画像が記録されている時刻前後の音声データを切り出す。この切り出す音声データは、静止した画像の時刻よりも過去の時間の音声データであり、又静止した画像の時刻以降の音声データであり、例えば静止した時刻を真ん中にして、その時刻以前と以後の音声データである。但し、記録する音声データの時刻は様々なパターンの選択が可能である。また、記録する音声データの長さは、予め決められた長さとする。さらに、切り出した音声データに圧縮処理を施す構成としてもよい。
【００２７】
次に、写真印刷自動販売機１は唯一の情報を作成する（Ｓ２）。この唯一の情報は、写真印刷自動販売機１自体のシリアル番号と日時等を組み合わせた情報、乱数を基に作成した情報、前述のザーバ９から送信される情報など様々な方法で作成する識別情報である。
【００２８】
次に、この唯一の情報と前述の切り出された音声データは写真印刷自動販売機１からネットワーク８を介してサーバ９に送信される（Ｓ３）。サーバ９はこの情報を受信すると（Ｓ４）、音声データと唯一の情報を関連付けて記憶する（Ｓ５）。この処理により、サーバ９には写真印刷自動販売機１を使用するユーザの音声データと唯一の情報が関連付けられたデータベースが構築される。
【００２９】
上記処理の後、前述のプリント処理が行われ（Ｓ６）、図２に示す写真１１が印刷物取出口５に出力される。この写真の表面１１ａにはユーザが選択した画像が印刷され、裏面１１ｂには２次元バーコードが印刷されている。この２次元バーコードには、サーバ９のURLや電話番号などのネットワーク上のアドレス情報と共に、前述の唯一の情報が含まれている。
【００３０】
尚、図４に示すやり直しボタンを押すと図３の画面に戻り、図３に示すやり直しボタンを押すと動画から選択する静止画を選択し直すことができる。
尚、唯一の情報が、例えばサーバ９で作成され、写真印刷自動販売機１に送信されるシステムの場合、図６に示す手順となる。すなわち、写真印刷自動販売機１が音声データを切り出すと（Ｓ１）、唯一の情報をサーバに要求し（Ｓ２−１）、それに応答してサーバ９が唯一の情報を返送する（Ｓ２−２〜Ｓ２−５）。そして、写真印刷自動販売機１はこの唯一の情報を使用して前述と同様の処理を行う（Ｓ３〜Ｓ６）。
【００３１】
以上のようにして写真画像を取得したユーザは、例えば当該写真１１を見る時、裏面１１ｂに印刷された２次元バーコードを利用して撮影時の音声を聞くことができる。
図７はこの処理手順を示す図である。先ず、写真１１を手にしたユーザは、カメラ付き携帯電話機１０を使用して裏面１１ｂに印刷された２次元バーコードを撮影する（Ｓ７）。次に、カメラ付き携帯電話機１０は撮影した２次元バーコードを解析し（Ｓ８）、そこに記録されるネットワーク上のアドレス情報(例えば、URLや電話番号等）を取得する。
【００３２】
次に、このアドレス情報を利用してネットワーク８を介してサーバ９をアクセスする（Ｓ９）。そして、２次元バーコードに記録されていた唯一の情報に対する音声データを送信するようサーバ９に要求する。
【００３３】
要求を受けたサーバ９は、前述のデータベースを検索し、要求された音声データを準備する（Ｓ１０、Ｓ１１）。この検索は、携帯電話機１０からのアクセス情報に前述の唯一の情報が含まれており、この唯一の情報が一致することを条件に対応する音声データを読み出す。そして、サーバ９は音声データをファイルとして要求のあった携帯電話機１０に送信する（Ｓ１２）。尚、この音声データファイルとしては、ＭＰ３（MPEG audio layer ３）、リアルオーディオ（Real audio（登録商標））、MIDI（登録商標）（musical instruments digital interface）ファイル、WAVEファイル等の適切な音声ファイルを使用することができる。
【００３４】
次に、音声データファイルを受信した携帯電話機１０は、そのファイルから音声データを取り出し、携帯電話機１０の受話口、もしくはスピーカから再生する（Ｓ１３、Ｓ１４）。例えば、図２に示すように、携帯電話機１０の受話口、もしくはスピーカから“ハイ、撮るよー！  笑って〜！”等の臨場感ある音声を再生できる。
【００３５】
以上のように処理することによって、動画から切り出して作成した写真に音声を実質的に付加することができ、臨場感のある音声を再現することができる。
尚、上記説明ではサーバ９は独立して設置されている。しかし、このように構成すると、写真印刷自動販売機１と対応するサーバ９を関連付けしつつ、両方のメンテナンスを行っていかなければならず、運用コストが増大する可能性がある。そこで、図８に示すように、写真印刷自動販売機１にザーバの機能も付与する構成とすることにより上記問題を解決することができる。
【００３６】
以上のように、本例によれば動画から切り出して写真にプリントする際、プリントする写真の画像に対応する音声データも写真に実質的に付加することができ、例えば写真を見る時、臨場感のある雰囲気を再現することができる。
【００３７】
尚、上記例では写真印刷自動販売機１に本発明を適応した場合について説明した。しかしながら、本発明はセルフ方式の写真印刷自動販売機１でなくても、ユーザが所持するプリント装置でも当然適用可能である。また、１枚の印刷において、写真が複数に分割されるような場合には、それぞれに２次元バーコードを印刷するように構成してもよい。
【００３８】
また、２次元バーコードを印刷する位置は、必ずしも写真の裏面である必要はなく、例えば表面の写真の隅や、写真の枠（余白部分）等でも良い。また、音声情報の格納場所を必ずしも２次元バーコードにする必要はなく、それ以外の方法、例えば文字や記号、透かし画像等に記録する構成としてもよい。但し、携帯電話機で解析できる必要はある。
【００３９】
さらに、音声情報の格納場所を携帯電話機１０に入力する手段は、必ずしも携帯電話機のカメラである必要はなく、写真に印刷されたアドレス情報をユーザがキー入力し、又はユーザの声によって音声入力する構成としてもよい。また、２次元バーコードにネットワーク上のアドレス情報と唯一の情報の２つの情報を記録したが、アドレス情報を唯一のアドレスにすれば、２次元バーコードにはアドレス情報を記録するだけでよく、バーコードに記録する情報を減らすことができる。
【００４０】
また、上記説明では動画像から音声情報を読み出す構成としたが、音声情報に限らず一定期間の動画像を登録する構成としてもよい。例えば、切り出した静止画像を中心とした前後一定期間の動画像を読み出す構成としてもよい。
【００４１】
さらに、音声情報と動画情報を含む特定情報をサーバ９に送信し、登録する構成としてもよい。この場合、図９に示す処理手順となる。すなわち、の処理は基本的に図５で説明した手順と同じであり、先ず音声データ及び映像データの切り出し処理を行い（ステップ（以下、ＳＴＰで示す）１）、次に前述の唯一の情報を作成し（ＳＴＰ２）、音声データ及び映像データと共にサーバ９に送信される（ＳＴＰ３）。さらに、サーバ９はこの情報を受信すると（ＳＴＰ４）、両データと唯一の情報に関連付けて記憶し（ＳＴＰ５）、写真印刷自動販売機１は静止画像を表面に印刷すると共に、２次元バーコードが裏面に印刷する（ＳＴＰ６）。
【００４２】
また、唯一の情報をサーバ９側から受信する場合には、図１０に示す処理手順を実行することになる。さらに、音声情報及び映像データを携帯電話機で出力する処理は図１１に示す手順を実行する（ＳＴＰ７〜ＳＴＰ１４）。
（実施形態２）
次に、本発明の実施形態２について説明する。
【００４３】
上記実施形態１では、写真印刷自動販売機を使用して印刷システムの構成説明を行ったが、本例はシール作成機を使用して印刷システムを説明するものである。
図１２はシール作成機の構成を示す。同図において、シール作成機１４には撮影用カメラ１５とマイク１６が装備されている。尚、上記以外の構成は前述の図１に示す写真印刷自動販売機の構成と同じであり、シール作成機１４の正面には、表示／操作部（ディスプレイ＆タッチパネル）２、メディア挿入口３、料金挿入／返却口４、及び印刷物取出口５が設けられている。表示／操作部（ディスプレイ＆タッチパネル）２は、前述と同様液晶ディスプレイと、液晶ディスプレイに表示されるキーや、ボタン、アイコン等を選択する不図示の操作部で構成されている。
【００４４】
また、図１３はシール作成機１４の構成を説明する図であり、マイク１６は、入力する音声をA/ D変換して出力する構成である。また、撮影用カメラ１５、及びマイク１６は共に動画に対応しており、連続してデータ出力を行うことが可能である。また、カメラバッファ１９は撮影用カメラ１５で撮影したデータを一時的に保管するメモリであり、マイクバッファ２０はマイク１６で録音した音声を一時的に保管するメモリである。
【００４５】
尚、カメラバッファ１９、及びマイクバッファ２０はFIFO(First In First Out）動作を行い、ＣＰＵ２１からのFIFO動作の開始・停止の制御が行われる。また、マイクバッファ２０は一定の時間幅（例えば１０〔sec〕）の音声データを記録できる容量を有し、カメラバッファ１９は映像データの１フレーム分のデータを記録できる容量を有する。
【００４６】
また、印刷回路２２はシールのプリントを行う回路であり、通信回路２３はネットワーク８を介してサーバ９との通信を行う。さらに、金銭部２４は料金の入金や返却等を行う構成であり、表示／操作部（ディスプレイ＆タッチパネル）２は前述と同様な構成である。
【００４７】
図１４は上記外観構成のシール作成機１４が組み込まれたネットワークシステムであり、前述と同様インターネット等のネットワーク８を介してシール作成機１４はサーバ９に接続されている。また、カメラ機能付き携帯電話機１０もネットワーク８を介してシール作成機１４及びサーバ９に接続可能に構成されている。尚、同図に示す１７はシール作成機１４によって印刷出力されたシール写真を示し、１１ａが写真の表面に印刷された画像を示し、１１ｂが写真の裏面に印刷された２次元バーコードを示す。
【００４８】
以上の構成において、以下に本例の処理動作を説明する。
先ず、ユーザはシール作成機１４が設置された場所に出向き、表示／操作部（ディスプレイ＆タッチパネル）２を操作し、料金を投入する。すると、表示／操作部（ディスプレイ＆タッチパネル）２に現在の画像を映し出される。
【００４９】
次に、ユーザは撮影の構図を決める。例えば、撮影用カメラ１５に向けてポーズを取り、表示／操作部（ディスプレイ＆タッチパネル）２の指示に従って操作する。この操作により、表示／操作部（ディスプレイ＆タッチパネル）２にはカウントダウン表示が開始される。この処理は、ＣＰＵ２１の制御によって、カメラバッファ１９とマイクバッファ２０がFIFO動作を開始し、表示／操作部（ディスプレイ＆タッチパネル）２にカウントダウン表示を行うものである。
【００５０】
その後、上記カウントダウンが終了すると、その瞬間画像がシールとしてプリントされ、印刷物取出口５から出力される。尚、カウントダウンが終了した時刻以前の音声データのみを記録する場合には、カメラバッファ１９のFIFO動作の停止と同時に停止する。また、カウントダウン終了時刻を真中にしてその前後の時間を記録する場合には、カメラバッファ１９の停止後、しばらくして音声データが記録できてから停止する。また、カウントダウン終了以降の音データを記録する場合には、カメラバッファの停止後、音声データが充分に録音される時間が経過してから、つまりマイクバッファに格納されているデータがカメラバッファ停止以降の音声データによって全て埋められてから停止する。
【００５１】
シール作成機１４では、プリントする際、画像を表面１７ａに印刷するだけでなく、裏面１７ｂに２次元バーコードの印刷を行う。この２次元バーコードには、前述と同様URLや電話番号などのネット上のアドレス情報と、唯一の情報が記録されている。
【００５２】
図１５はこの処理を説明する図であり、先ず音声データの録音処理を行う（ステップ（以下、ＳＴで示す）１）。この録音処理はマイク１６がカウントダウン終了前後のユーザの音声を録音するものである。この音声データは、カウントダウンが終了した時刻よりも過去の時間の音声データであり、又カウントダウンが終了した時刻以降の音声データであり、例えばカウントダウンが終了した時刻を真ん中にして、その時刻の過去と未来の音声データである。
【００５３】
但し、本例の場合も、記録する音声データの時刻は様々なパターンが可能である。また、記録する音データの長さは、予め決めておく構成としてもよい。また、音声データは、圧縮処理する構成としてもよい。
【００５４】
次に、シール作成機１４は唯一の情報を作成する（ＳＴ２）。この唯一の情報は、例えば前述のようにシール作成機１４自体のシリアル番号と日時等を組み合わせた情報や、乱数を基に作成した情報、前述のザーバ９から送信された情報など様々な方法で作成される。
【００５５】
次に、この唯一の情報と前述の録音した音声データをシール作成機１４からネットワーク８を介してサーバ９に送信する（ＳＴ３）。サーバ９はこの情報を受信すると（ＳＴ４）、音声データと唯一の情報を関連付けて記憶する（ＳＴ５）。この処理により、サーバ９はシール作成機１４を使用するユーザの音声データと唯一の情報を関連付けたデータベースを構築することができる。
【００５６】
上記処理の後、前述のプリント処理が行われ（ＳＴ６）、図１４に示す写真１７が印刷物取出口５に出力される。この写真の表面１７ａにはシール作成機１４で撮影した画像が印刷され、裏面１７ｂには２次元バーコードが印刷されている。この２次元バーコードには、前述と同様サーバ９のURLや電話番号などのネットワーク上のアドレス情報と共に、前述の唯一の情報が記録されている。
【００５７】
尚、図１６に示す手順は、唯一の情報がサーバ９で作成され写真印刷自動販売機１に送信されてくるシステムの場合であり、シール作成機１４が音声を録音すると（ＳＴ１）、唯一の情報をサーバに要求し（ＳＴ２−１）、それに応答してサーバ９が唯一の情報を返送する（Ｓ２−２〜Ｓ２−５）。そして、シール作成機１４はこの唯一の情報を使用して前述の処理を行うことができる（ＳＴ３〜ＳＴ６）。
【００５８】
以上のようにして写真画像を取得したユーザは、例えば当該写真１７を見る時、裏面１７ｂに印刷された２次元バーコードを利用して当該写真１７の印刷時の音声を聞くことができる。
【００５９】
図１７はこの処理手順を示す図であり、前述の図７で説明した手順と同じである。すなわち、先ず写真１７を手にしたユーザは、カメラ付き携帯電話機１０を使用して裏面１７ｂに印刷された２次元バーコードを撮影する（ＳＴ７）。そして、２次元バーコードを解析し（ＳＴ８）、そこに記録されるネットワーク上のアドレス情報(例えば、URLや電話番号等）を取得する。
【００６０】
次に、このアドレス情報を利用してネットワーク８を介してサーバ９をアクセスする（ＳＴ９）。そして、２次元バーコードに記録されていた唯一の情報に対する音声データを送信するようサーバ９に要求する。
【００６１】
要求を受けたサーバ９は、前述のデータベースを検索し、要求された音声データを準備し（ＳＴ１０、ＳＴ１１）、サーバ９は音声データをファイルとして要求のあった携帯電話機１０に送信する（ＳＴ１２）。そして、音声データを受信した携帯電話機１０は、その音声データを携帯電話機１０の受話口、もしくはスピーカから再生する（ＳＴ１３、ＳＴ１４）。
【００６２】
以上のように処理することによって、シール作成機１４を使用してシール（写真）をプリントする際、プリントする写真と同時に音声データも実質的に写真に付加することができ、シール作成機１４で撮影する際の楽しい雰囲気をそのまま写真に含めることが可能になり、従来よりも臨場感のあるシール作成機１４を構築することができる。
【００６３】
尚、本例においても、サーバ９は独立して設置されており、運用コスト等の観点からシール作成機１４にザーバの機能も付与する構成としてもよい。
また、２次元バーコードを印刷する位置は、必ずしも写真の裏面である必要はなく、例えば表面の写真の隅や、写真の枠（余白部分）等でも良い。また、音声情報の格納場所を必ずしも２次元バーコードにする必要はなく、それ以外の方法、例えば文字や記号、透かし画像等に記録する構成としてもよい。
【００６４】
さらに、音声情報の格納場所を携帯電話機１０に入力する手段は、必ずしも携帯電話機のカメラである必要はなく、写真に印刷されたアドレス情報をユーザがキー入力し、又はユーザの声によって音声入力する構成としてもよい。また、２次元バーコードにネットワーク上のアドレス情報と唯一の情報の２つの情報を記録したが、アドレス情報を唯一のアドレスにすれば、２次元バーコードにはアドレス情報の記録するだけでよく、バーコードに記録する情報を減らすことができる。
【００６５】
また、上記説明では動画像から音声情報を読み出す構成としたが、音声情報に限らず一定期間の動画像を登録する構成としてもよい。例えば、撮影した画像を中心とした前後一定期間の動画像を読み出す構成としてもよい。
【００６６】
さらに、音声情報と動画情報を含む特定情報をサーバ９に送信し、登録する構成としてもよい。この場合、図１８に示す処理手順となる。すなわち、音声データ及び映像データの切り出し処理を行い（ステップ（以下、Ｗで示す）１）、次に前述の唯一の情報を作成し（Ｗ２）、音声データ及び映像データと共にサーバ９に送信される（Ｗ３）。さらに、サーバ９はこの情報を受信すると（Ｗ４）、両データと唯一の情報に関連付けて記憶し（Ｗ５）、写真印刷自動販売機１は静止画像を表面に印刷すると共に、２次元バーコードが裏面に印刷する（Ｗ６）。
【００６７】
また、唯一の情報をサーバ９側から受信する場合には、図１９に示す処理手順を実行することになる（Ｗ１、Ｗ２−１〜Ｗ２−５、Ｗ３〜Ｗ６）。さらに、音声情報及び映像データを携帯電話機で出力する処理は図２０に示す手順を実行する（Ｗ７〜Ｗ１４）。
【００６８】
尚、図２１は上記構成の場合のシール作成機１４内の回路構成を説明する図である。前述の図１０と異なる構成は、撮像用カメラ１５で撮影した映像を記憶する印刷用バッファ部２５が付加されている。
（実施形態３）
次に、本発明の実施形態３について説明する。
【００６９】
本例は音声データを再生する際、静止画像を切り出した時刻、又は写真撮影の時刻を示すことができれば便利であり、これを実現する構成である。本例においては、例えば静止画像が記録されている時刻の前後の音声情報を切り出した後、撮影時刻の音声データに、カメラのシャター音を合成する。以下、具体的に説明する。
【００７０】
図２２（ａ）は切り出した音声データの波形を示す図であり、同図（ｂ）はプリントする静止画像の時刻よりも過去の時間を記録した音声データを示し、同図（ｃ）は未来の時間を記録した音声データを示し、同図（ｄ）はプリントする画像の時刻を真中にして、その前後を記録した音声データを示す。そして、これらの波形を同図に示すように合成することで“シャッター音”が合成された音声データを生成する。
【００７１】
尚、合成した音声データはその後に圧縮してもよい。そして、合成した音声データを２次元バーコードに記録された唯一の情報と共に、写真印刷自動販売機１からサーバ９に送る（図２３に示すステップ（以下、Ｖで示す）１〜Ｖ４）。サーバ９では、受信したデータと唯一の情報を関連付けて記録し（Ｖ５、Ｖ６）、写真印刷自動販売機１は２次元バーコードの印刷を行う（Ｖ７）。
【００７２】
尚、唯一の情報がサーバ９から送られてくる場合には、前述と同様図２４に示す処理を行う（Ｖ１、Ｖ２−１〜Ｖ２−６、Ｖ４〜Ｖ７）。
このように構成することにより、裏面に２次元バーコードが印刷された写真を手にしたユーザは、携帯電話機１０を使って２次元バーコードを撮影する。そして、２次元バーコードを解析し、それに記録されているアドレス情報(URLや電話番号など）を取り出し、サーバ９から音声情報を取得する。本例では動画から切り出して作成した写真に音声を付加し、更に切り出した写真の時刻にシャッター音を付加して再生するので、ユーザは静止画ではなく動画に近い臨場感を味わうことができる。
【図面の簡単な説明】
【００７３】
【図１】実施形態１を説明する写真印刷自動販売機の外観構成を示す図である。
【図２】実施形態１を説明する画像印刷システムのシステム構成図である。
【図３】動画から静止画像を選択する画面例を示す図である。
【図４】静止画像をプリントする際の画面例を示す図である。
【図５】実施形態１の処理手順を示す図である。
【図６】実施形態１の処理手順の変形例を示す図である。
【図７】携帯電話機が音声データを取得する処理を説明する図である。
【図８】実施形態１の変形例を説明する印刷システムのシステム構成図である。
【図９】実施形態１の処理手順であり、映像を含む場合を説明する図である。
【図１０】実施形態１の処理手順の変形例を示す図であり、映像を含む場合を説明する図である。
【図１１】携帯電話機が音声データを取得する処理を説明する図であり、映像を含む場合を説明する図である。
【図１２】実施形態２を説明するシール作成機の外観構成を示す図である。
【図１３】実施形態２のシール作成機内の回路構成を説明する図である。
【図１４】実施形態２を説明する印刷システムのシステム構成図である。
【図１５】実施形態２の処理手順を示す図である。
【図１６】実施形態２の処理手順の変形例を示す図である。
【図１７】携帯電話機が音声データを取得する処理を説明する図である。
【図１８】実施形態２の処理手順であり、映像を含む場合を説明する図である。
【図１９】実施形態２の処理手順の変形例を示す図であり、映像を含む場合を説明する図である。
【図２０】携帯電話機が音声データを取得する処理を説明する図であり、映像を含む場合を説明する図である。
【図２１】実施形態２の変形例のシール作成機内の回路構成を説明する図である。
【図２２】実施形態３を説明する波形図である。
【図２３】実施形態３の処理手順を示す図である。
【図２４】実施形態３の処理手順の変形例を示す図である。
【符号の説明】
【００７４】
１・・・写真印刷自動販売機、
２・・・表示／操作部（ディスプレイ＆タッチパネル）、
３・・・メディア挿入口
４・・・料金挿入／返却口
５・・・印刷物取出口
７・・・作業テーブル、
８・・・ネットワーク、
９・・・サーバ、
１０・・・携帯電話機、
１１・・・写真、
１１ａ・・・表面、
１１ｂ・・・裏面、
１４・・・シール作成機
１５・・・撮影用カメラ
１６・・・マイク
１９・・・カメラバッファ
２０・・・マイクバッファ
２１・・・ＣＰＵ
２２・・・印刷回路
２３・・・通信回路
２４・・・金銭部
２５・・・印刷用バッファ
【図１】
2005345632.tif 000003
【図２】
2005345632.tif 000004
【図３】
2005345632.tif 000005
【図４】
2005345632.tif 000006
【図５】
2005345632.tif 000007
【図６】
2005345632.tif 000008
【図７】
2005345632.tif 000009
【図８】
2005345632.tif 000010
【図９】
2005345632.tif 000011
【図１０】
2005345632.tif 000012
【図１１】
2005345632.tif 000013
【図１２】
2005345632.tif 000014
【図１３】
2005345632.tif 000015
【図１４】
2005345632.tif 000016
【図１５】
2005345632.tif 000017
【図１６】
2005345632.tif 000018
【図１７】
2005345632.tif 000019
【図１８】
2005345632.tif 000020
【図１９】
2005345632.tif 000021
【図２０】
2005345632.tif 000022
【図２１】
2005345632.tif 000023
【図２２】
2005345632.tif 000024
【図２３】
2005345632.tif 000025
【図２４】
2005345632.tif 000026